(57)【要約】【課題】モーションアーチファクトが生じるおそれのある場合であっても、その影響のない適切なサブトラクション画像を容易且つ迅速に得ることのできるサブトラクション画像処理装置及び処理方法を提供する。【解決手段】本発明は、サブトラクション画像処理装置及び処理方法に関するものであり、２ショットで得た２つの放射線画像情報に対して、アフィン変換処理を行うことで線形補正処理による位置合わせを行った後、放射線画像情報の撮影部位にモーションアーチファクトが生じる可能性がある場合、設定した処理領域に対して歪曲位置合わせ処理を行うことで非線形補正処理による位置合わせを行い、次いで、これらの放射線画像情報に対してサブトラクション処理を施すことにより、適切なサブトラクション画像を生成する。【選択図】図１
2010081996.tif 000002
【特許請求の範囲】
【請求項１】
異なる時間に取得した同一被写体の同一部位における複数の放射線画像情報をサブトラクション処理するサブトラクション画像処理装置において、
少なくとも１つの前記放射線画像情報に対して線形補正処理を施し、線形補正処理された前記放射線画像情報と他の前記放射線画像情報との位置合わせを行う線形補正処理部と、
少なくとも１つの前記放射線画像情報の一部の処理領域に対して非線形補正処理を施し、非線形補正処理された前記処理領域の前記放射線画像情報と他の前記放射線画像との位置合わせを行う非線形補正処理部と、
前記放射線画像情報の前記処理領域にモーションアーチファクトが生じるか否かを判定し、前記モーションアーチファクトが生じると判定した場合には、前記線形補正処理及び前記非線形補正処理を選択し、前記モーションアーチファクトが生じないと判定した場合には、前記線形補正処理のみを選択する補正処理選択部と、
前記線形補正処理又は前記非線形補正処理が施された前記放射線画像情報を用いて、サブトラクション処理を行うサブトラクション処理部と、
を備えることを特徴とするサブトラクション画像処理装置。
【請求項２】
請求項１記載の装置において、
前記線形補正処理は、アフィン変換処理であることを特徴とするサブトラクション画像処理装置。
【請求項３】
請求項１記載の装置において、
前記非線形補正処理は、歪曲位置合わせ処理であることを特徴とするサブトラクション画像処理装置。
【請求項４】
請求項１記載の装置において、
前記被写体の撮影部位を設定する撮影部位設定部を備え、
前記補正処理選択部は、前記撮影部位設定部により設定された前記撮影部位に基づいて補正処理を選択することを特徴とするサブトラクション画像処理装置。
【請求項５】
異なる時間に取得した同一被写体の同一部位における複数の放射線画像情報をサブトラクション処理するサブトラクション画像処理方法において、
少なくとも１つの前記放射線画像情報に対して線形補正処理を施し、線形補正処理された前記放射線画像情報と他の前記放射線画像情報との位置合わせを行うステップと、
前記放射線画像情報の一部の処理領域にモーションアーチファクトが生じるか否かを判定するステップと、
前記処理領域に前記モーションアーチファクトが生じると判定した場合、少なくとも１つの前記放射線画像情報の前記処理領域に対して非線形補正処理を施し、非線形補正処理された前記処理領域の前記放射線画像情報と他の前記放射線画像との位置合わせを行うステップと、
前記線形補正処理又は前記非線形補正処理が施された前記放射線画像情報を用いて、サブトラクション処理を行うステップと、
を有することを特徴とするサブトラクション画像処理処理方法。
【請求項６】
請求項５記載の方法において、
前記線形補正処理は、アフィン変換処理であることを特徴とするサブトラクション画像処理方法。
【請求項７】
請求項５記載の方法において、
前記非線形補正処理は、歪曲位置合わせ処理であることを特徴とするサブトラクション画像処理方法。
【発明の詳細な説明】
【技術分野】
【０００１】
本発明は、異なる時間に取得した同一被写体の同一部位における複数の放射線画像情報をサブトラクション処理するサブトラクション画像処理装置及び処理方法に関するものである。
【背景技術】
【０００２】
例えば、医療分野においては、放射線源から放射線を被写体（患者）に照射し、被写体を透過した放射線を放射線変換パネルに導いて放射線画像情報に変換した後、所望の画像処理を施す放射線画像処理装置が広汎に使用されている。処理された放射線画像情報は、表示装置を用いて表示することで診断等に利用される。
【０００３】
なお、放射線変換パネルには、放射線を電荷情報に変換して蓄積し、電気信号として読み出すことのできる固体検出器や、放射線エネルギを蛍光体に蓄積し、レーザビーム等の励起光を照射することで、蓄積された放射線エネルギに応じて輝尽発光する蓄積性蛍光体パネル等がある。
【０００４】
このような放射線画像処理装置を用いて、被写体の関心領域、例えば、肋骨の下部に配置される心臓や肺等の軟部組織を抽出する方法が実用化されている。この方法は、肋骨等の骨部と心臓等の軟部組織とで放射線の吸収特性が異なることを利用し、被写体に対してエネルギ分布の異なる放射線を照射することで、撮影条件の異なる２種類の放射線画像情報を取得し、これらの放射線画像情報の差分を所定の重み付けをして求めることにより、骨部又は軟部組織を抽出するものであり、エネルギサブトラクション処理と称されている。
【０００５】
また、サブトラクション処理には、例えば、被写体の撮影対象部位に造影剤を注入して放射線を照射することで放射線画像情報を取得する一方、造影剤が注入されていない状態の撮影対象部位に放射線を照射して放射線画像情報を取得し、これらの放射線画像情報の差分を求めることにより、被写体から特定の撮影対象部位のみを抽出する時間サブトラクション処理と称される方法がある。
【０００６】
これらのサブトラクション処理においては、取得した複数の放射線画像情報同士の位置を正確に一致させて差分を求めることが重要である。放射線画像情報間に位置ずれがあると、サブトラクション画像にぼけや疑似輪郭が生じたり、場合によっては、所望の部位を抽出できなくなってしまうおそれがある。
【０００７】
このような問題を解消するため、特許文献１に開示された従来技術では、一方の放射線画像情報の全体を平行移動し、回転し、あるいは、拡大縮小することにより他方の放射線画像情報に重ね合わせるアフィン変換処理を放射線画像情報に施している。
【０００８】
しかしながら、アフィン変換処理は、線形補正処理であり、放射線画像情報の全体の単純な位置ずれを補正するのには有効であるが、例えば、胸部Ｘ線撮影のように、放射線画像情報の一部に心臓や大動脈等の動体組織が含まれている場合、特に、異なる時間に取得した複数の放射線画像情報間にモーションアーチファクトが生じるため、アフィン変換処理によっては、放射線画像情報同士を正確に重ね合わせることができない。
【０００９】
特許文献２に開示された従来技術では、このような放射線画像情報間のモーションアーチファクトを考慮した非線形補正処理を行う方法を提案している。この従来技術では、放射線画像情報に設定した複数の関心領域に対して可能なシフトのエッジ強度を計算し、このエッジ強度を最小にする空間座標に基づき、放射線画像情報を構成する各画素のシフトベクトルを計算する。そして、このシフトベクトルを用いて放射線画像情報を他方の放射線画像情報にシフトする非線形な歪曲位置合わせ処理を行うことにより、モーションアーチファクトを減少させ、動体組織を含む放射線画像情報同士を高精度に重ね合わせることを可能としている。
【００１０】
【特許文献１】特開平７−２４４７２２号公報
【特許文献２】特開２００３−２４４５４２号公報
【発明の開示】
【発明が解決しようとする課題】
【００１１】
しかしながら、特許文献２に開示された従来技術では、放射線画像情報を構成する画素毎にシフトベクトルを計算して歪曲位置合わせ処理を行うため、その処理に多大な時間、あるいは、処理能力が要求される。しかも、放射線画像情報間の位置ずれが大きい場合には、シフトベクトルの誤差も大きくなってしまい、高精度なサブトラクション画像を得ることができなくなってしまう。
【００１２】
本発明は、このような課題に鑑みてなされたものであり、モーションアーチファクトが生じるおそれのある場合であっても、その影響のない適切なサブトラクション画像を容易且つ迅速に得ることのできるサブトラクション画像処理装置及び処理方法を提供することを目的とする。
【課題を解決するための手段】
【００１３】
本発明に係るサブトラクション画像処理装置は、異なる時間に取得した同一被写体の同一部位における複数の放射線画像情報をサブトラクション処理するサブトラクション画像処理装置において、
少なくとも１つの前記放射線画像情報に対して線形補正処理を施し、線形補正処理された前記放射線画像情報と他の前記放射線画像情報との位置合わせを行う線形補正処理部と、
少なくとも１つの前記放射線画像情報の一部の処理領域に対して非線形補正処理を施し、非線形補正処理された前記処理領域の前記放射線画像情報と他の前記放射線画像との位置合わせを行う非線形補正処理部と、
前記放射線画像情報の前記処理領域にモーションアーチファクトが生じるか否かを判定し、前記モーションアーチファクトが生じると判定した場合には、前記線形補正処理及び前記非線形補正処理を選択し、前記モーションアーチファクトが生じないと判定した場合には、前記線形補正処理のみを選択する補正処理選択部と、
前記線形補正処理又は前記非線形補正処理が施された前記放射線画像情報を用いて、サブトラクション処理を行うサブトラクション処理部と、
を備えることを特徴とする。
【００１４】
また、本発明に係るサブトラクション画像処理方法は、異なる時間に取得した同一被写体の同一部位における複数の放射線画像情報をサブトラクション処理するサブトラクション画像処理方法において、
少なくとも１つの前記放射線画像情報に対して線形補正処理を施し、線形補正処理された前記放射線画像情報と他の前記放射線画像情報との位置合わせを行うステップと、
前記放射線画像情報の一部の処理領域にモーションアーチファクトが生じるか否かを判定するステップと、
前記処理領域に前記モーションアーチファクトが生じると判定した場合、少なくとも１つの前記放射線画像情報の前記処理領域に対して非線形補正処理を施し、非線形補正処理された前記処理領域の前記放射線画像情報と他の前記放射線画像との位置合わせを行うステップと、
前記線形補正処理又は前記非線形補正処理が施された前記放射線画像情報を用いて、サブトラクション処理を行うステップと、
を有することを特徴とする。
【発明の効果】
【００１５】
本発明によれば、モーションアーチファクトが生じる可能性がない場合には、線形補正処理のみを施した放射線画像情報を用いてサブトラクション処理を行い、モーションアーチファクトが生じる可能性がある場合には、線形補正処理を施すとともに、一部の処理領域に非線形補正処理を施した放射線画像情報を用いてサブトラクション処理を行うことにより、被写体の高精度なサブトラクション画像を容易且つ迅速に得ることができる。
【発明を実施するための最良の形態】
【００１６】
図１は、本発明のサブトラクション画像処理装置及び処理方法が適用される本実施形態の放射線画像処理装置１０の構成ブロック図である。
【００１７】
放射線画像処理装置１０は、被写体１２に放射線Ｘを照射する放射線源１４と、設定された管電圧、管電流、照射時間等の曝射条件に基づいて放射線源１４を制御する放射線源制御部１６と、被写体１２を透過した放射線Ｘを電荷情報としての放射線画像情報に変換する放射線固体検出器１８と、矢印方向に振動し、放射線固体検出器１８に照射される放射線Ｘの散乱線を除去するブッキー２０と、放射線固体検出器１８によって検出された放射線画像情報に対してサブトラクション処理を含む画像処理を施す画像処理部２２と、前記曝射条件に加えて、被写体１２の撮影部位、撮影枚数、画像処理条件等の撮影条件を設定する撮影条件設定部２４（撮影部位設定部）と、画像処理部２２によって処理されることで得られたサブトラクション画像を表示する表示部２６とを備える。
【００１８】
画像処理部２２は、放射線固体検出器１８により取得した放射線画像情報を記憶する画像情報記憶部２８と、異なる時間に取得した同一の被写体１２の同一の部位における複数の放射線画像情報の位置合わせを行うため、これらの放射線画像情報に対して線形補正処理であるアフィン変換処理を施すアフィン変換処理部３０（線形補正処理部）と、被写体１２の撮影部位に心臓や大動脈等の動体組織が含まれている場合、撮影条件設定部２４で設定された撮影部位に係る撮影条件に従い、その領域を処理領域として設定する処理領域設定部３２と、設定された処理領域の複数の放射線画像情報の位置合わせを行うため、これらの放射線画像情報に対して非線形補正処理である歪曲位置合わせ処理を施す歪曲位置合わせ処理部３４（非線形補正処理部）と、モーションアーチファクトが生じる可能性のある撮影部位が撮影条件として設定されているとき、処理領域設定部３２及び歪曲位置合わせ処理部３４による画像処理を選択する画像処理選択部３６（補正処理選択部）と、アフィン変換処理及び必要に応じて歪曲位置合わせ処理が施された複数の放射線画像情報に対してサブトラクション処理を施すサブトラクション処理部３８とを備える。
【００１９】
図２は、放射線固体検出器１８の回路構成ブロック図である。放射線固体検出器１８は、センサ基板４０と、ゲート線駆動回路４４と、信号読出回路４６と、ゲート線駆動回路４４及び信号読出回路４６を制御するタイミング制御回路４８とを備える。
【００２０】
センサ基板４０は、放射線Ｘを感知して電荷を発生させるアモルファスセレン（ａ−Ｓｅ）等の物質からなる光電変換層５１を行列状の薄膜トランジスタ（ＴＦＴ：Ｔｈｉｎ  Ｆｉｌｍ  Ｔｒａｎｓｉｓｔｏｒ）５２のアレイの上に配置した構造を有し、発生した電荷を蓄積容量５３に蓄積した後、各行毎にＴＦＴ５２を順次オンにして、電荷を画像信号として読み出す。図２では、光電変換層５１及び蓄積容量５３からなる１つの画素５０と１つのＴＦＴ５２との接続関係のみを示し、その他の画素５０の構成については省略している。なお、アモルファスセレンは、高温になると構造が変化して機能が低下してしまうため、所定の温度範囲内で使用する必要がある。各画素５０に接続されるＴＦＴ５２には、行方向と平行に延びるゲート線５４と、列方向と平行に延びる信号線５６とが接続される。各ゲート線５４は、ゲート線駆動回路４４に接続され、各信号線５６は、信号読出回路４６に接続される。
【００２１】
本実施形態の放射線画像処理装置１０は、基本的には以上のように構成されるものであり、次に、その動作について図３に示すフローチャートに基づいて説明する。
【００２２】
先ず、オペレータは、撮影条件設定部２４を用いて、放射線源１４に対する管電圧、管電流、放射線Ｘの照射時間、ターゲットの種類等の曝射条件、被写体１２の撮影部位、撮影枚数、画像処理条件等の撮影条件を設定する（ステップＳ１）。
【００２３】
次いで、放射線源制御部１６は、撮影条件設定部２４で設定した曝射条件から、例えば、所定のエネルギ分布の放射線Ｘを被写体１２に照射することのできる第１曝射条件を選択して放射線源１４を制御し（ステップＳ２）、１ショット目の曝射を行う（ステップＳ３）。
【００２４】
第１曝射条件に設定された放射線源１４から出力された放射線Ｘは、被写体１２を透過した後、ブッキー２０を介して放射線固体検出器１８に照射される。放射線固体検出器１８は、照射された放射線Ｘを各画素５０の光電変換層５１によって電気信号に変換した後、蓄積容量５３に電荷として蓄積する。次いで、各蓄積容量５３に蓄積された被写体１２の１ショット目の放射線画像情報である電荷情報は、タイミング制御回路４８からゲート線駆動回路４４及び信号読出回路４６に供給されるタイミング制御信号に従い、センサ基板４０から読み出される。
【００２５】
すなわち、ゲート線駆動回路４４は、タイミング制御回路４８からのタイミング制御信号に従ってゲート線５４の１つを選択し、選択されたゲート線５４に接続されている各ＴＦＴ５２のベースに駆動信号を供給する。一方、信号読出回路４６は、タイミング制御回路４８からのタイミング制御信号に従い、信号線５６を行方向に順次切り替えながら選択する。選択されたゲート線５４及び信号線５６に対応する画素５０の蓄積容量５３に蓄積された放射線画像情報は、画像信号として画像処理部２２に供給される。行方向に配列された各画素５０から画像信号が読み出された後、ゲート線駆動回路４４は、列方向の次のゲート線５４を選択して駆動信号を供給し、信号読出回路４６は、選択されたゲート線５４に接続されたＴＦＴ５２から同様にして画像信号を読み出す。以上の動作を繰り返すことにより、センサ基板４０に蓄積された二次元の放射線画像情報が読み出され、第１放射線画像情報として画像処理部２２の画像情報記憶部２８に記憶される（ステップＳ４）。
【００２６】
次いで、放射線源制御部１６は、撮影条件設定部２４で設定した曝射条件から、例えば、第１曝射条件とは異なるエネルギ分布の放射線Ｘを被写体１２に照射することのできる第２曝射条件を選択して放射線源１４を制御し（ステップＳ５）、２ショット目の曝射を行う（ステップＳ６）。
【００２７】
放射線固体検出器１８によって検出された２ショット目の第２放射線画像情報は、１ショット目の第１放射線画像情報と同様にして読み出され、画像処理部２２の画像情報記憶部２８に記憶される（ステップＳ７）。
【００２８】
次に、画像情報記憶部２８に記憶された第１放射線画像情報及び第２放射線画像情報を用いたサブトラクション処理を行う。
【００２９】
そこで、図４に示すように、例えば、第１放射線画像情報Ｓ１を４等分し、各領域６０ａ〜６０ｄの放射線画像情報に対してフィルタリング処理を施すことにより、濃度が極端に変化する点を基準対応点６２ａ〜６２ｄとして各領域６０ａ〜６０ｄから１つずつ決定する（ステップＳ８）。
【００３０】
次いで、各基準対応点６２ａ〜６２ｄを中心とする所定範囲のテンプレート領域６４ａ〜６４ｄを設定し、第１放射線画像情報Ｓ１及び第２放射線画像情報Ｓ２間において、対応するテンプレート領域６４ａ〜６４ｄが重ね合わさるように、テンプレートマッチング処理を行う（ステップＳ９）。なお、テンプレートマッチングとしては、相関法またはＳＳＤＡ（Sequential Similarity Detection Algolithms）を利用することができる。テンプレートマッチング処理を施すことにより、第１放射線画像情報Ｓ１上で決定した基準対応点６２ａ〜６２ｄに対応する第２放射線画像情報Ｓ２上の対応点が求まる。
【００３１】
以上のようにして求めた第１放射線画像情報Ｓ１上の基準対応点６２ａ〜６２ｄと、第２放射線画像情報Ｓ２上の対応点とを一致させるべく、アフィン変換処理を行う（ステップＳ１０）。アフィン変換処理は、基準対応点６２ａ〜６２ｄの座標をｕ、ｖ、対応点の座標をｘ、ｙ、回転移動及び拡大、縮小の係数をａ、ｂ、ｃ、ｄ、平行移動の係数をｅ、ｆとし、
【００３２】
【数１】
2010081996.tif 000003
【００３３】
の関係式から、最小自乗法を用いて各係数ａ〜ｆを求めた後、この関係式を用いて、第２放射線画像情報Ｓ２を構成する各画素の位置を補正することにより行われる。
【００３４】
次に、画像処理選択部３６は、撮影条件設定部２４で設定された撮影条件から、被写体１２の撮影された放射線画像情報の撮影部位にモーションアーチファクトの生じる可能性のある部位が含まれるか否かを判定する（ステップＳ１１）。例えば、図４に示すように、胸部Ｘ線撮影によって取得された放射線画像情報の場合、動体組織として心臓が撮影部位に含まれており、この心臓の鼓動によって、放射線画像情報にモーションアーチファクトの生じる可能性がある。
【００３５】
ステップＳ１１において、モーションアーチファクトの生じる可能性のある部位が含まれていると判定された場合、画像処理選択部３６によって処理領域設定部３２及び歪曲位置合わせ処理部３４が選択され、アフィン変換された放射線画像情報に対して、以下の歪曲位置合わせ処理が行われる。
【００３６】
なお、上記の判定処理としては、例えば、撮影条件として胸部Ｘ線撮影を行うメニューを選択したとき、そのメニューに対応して予め設定されているデータテーブルを用いて、歪曲位置合わせ処理を行うことを自動的に判定するようにしてもよい。また、撮影条件に従って設定される放射線源１４の曝射方向や曝射範囲から撮影部位を自動的に決定し、その結果に従って歪曲位置合わせ処理の要否を判定するようにしてもよい。
【００３７】
処理領域設定部３２は、図４に示すように、歪曲位置合わせ処理を施す歪曲位置合わせ処理領域６６を設定する（ステップＳ１２）。歪曲位置合わせ処理領域６６は、例えば、画像情報記憶部２８に記憶されている放射線画像情報を表示部２６に表示させ、オペレータが表示された放射線画像情報に対して指定することができる。
【００３８】
次に、歪曲位置合わせ処理部３４は、歪曲位置合わせ処理領域６６内の第１放射線画像情報Ｓ１における複数の基準対応点を決定する（ステップＳ１３）。この処理は、アフィン変換処理に先立つステップＳ８での基準対応点６２ａ〜６２ｄの決定処理と同様にして行うことができる。
【００３９】
次いで、ステップＳ９での処理と同様にして、テンプレートマッチング処理により、ステップＳ１３で決定した第１放射線画像情報Ｓ１上の各基準対応点に対する第２放射線画像情報Ｓ２上の対応点を求める（ステップＳ１４）。なお、第２放射線画像情報Ｓ２は、ステップＳ１０においてアフィン変換処理されることで、第１放射線画像情報に対応して位置補正されているものである。
【００４０】
基準対応点及び対応点が求められた後、対応点を各基準対応点にシフトするシフトベクトルを算出し、このシフトベクトルを補間処理することにより、歪曲位置合わせ処理領域６６内における全ての画素に対するシフトベクトルを算出する（ステップＳ１５）。
【００４１】
歪曲位置合わせ処理領域６６内の各画素のシフトベクトルが算出された後、各シフトベクトルを用いて、歪曲位置合わせ処理領域６６内の第２放射線画像情報Ｓ２の全画素を、歪曲位置合わせ処理領域６６内の第１放射線画像情報Ｓ１の全画素に位置合わせする歪曲位置合わせ処理を行う（ステップＳ１６）。
【００４２】
なお、ステップＳ１２〜Ｓ１６による歪曲位置合わせ処理では、モーションアーチファクトの生じる可能性のある歪曲位置合わせ処理領域６６内のみを処理対象としているため、迅速に歪曲位置合わせ処理を行うことができる。また、歪曲位置合わせ処理の対象となる第２放射線画像情報Ｓ２は、ステップＳ１０においてアフィン処理が施されたものであるため、第１放射線画像情報Ｓ１に対する位置ずれが最小限になっている。従って、シフトベクトルを用いた歪曲位置合わせ処理を高精度に行うことができ、これによって、極めて正確な位置合わせを行うことができる。
【００４３】
以上のようにして、第１放射線画像情報Ｓ１及び第２放射線画像情報Ｓ２の位置合わせが終了する。なお、ステップＳ１１において、撮影部位にモーションアーチファクトの生じる部位が含まれていない場合には、ステップＳ１２〜Ｓ１６による歪曲位置合わせ処理は行わない。従って、高精度に位置合わせされた第１放射線画像情報Ｓ１及び第２放射線画像情報Ｓ２を迅速に得ることができる。
【００４４】
第１放射線画像情報Ｓ１及び第２放射線画像情報Ｓ２の位置合わせが終了した後、サブトラクション処理部３８は、これらの放射線画像情報に対してサブトラクション処理を行う（ステップＳ１７）。
【００４５】
サブトラクション処理によるサブトラクション画像情報Ｓは、例えば、画像処理条件として設定された重み付け係数をαとし、第１放射線画像情報Ｓ１及び第２放射線画像情報Ｓ２を用いて、
Ｓ＝α・Ｓ１＋Ｓ２
として算出することができる。算出されたサブトラクション画像情報Ｓは、表示部２６に表示される（ステップＳ１８）。
【００４６】
なお、本発明は、上述した実施形態に限定されるものではなく、本発明の主旨を逸脱しない範囲で自由に変更できることは勿論である。
【００４７】
例えば、サブトラクション処理は、画像のコントラスト及び濃度を適切なものとするため、重み付け係数Ｋ１、Ｋ２、Ｋ３を用いて、サブトラクション画像情報Ｓを、
Ｓ＝Ｋ１・Ｓ１＋Ｋ２・Ｓ２＋Ｋ３
として求めるようにしてもよい。また、サブトラクション処理は、２つの放射線画像情報から求める場合に限られるものではなく、３つ以上の放射線画像情報から求めるようにしてもよい。
【００４８】
また、照射された放射線Ｘを直接電荷情報に変換する放射線固体検出器１８に代えて、シンチレータによって放射線Ｘを一旦可視光に変換し、その可視光を電荷情報に変換する構成からなる放射線検出器を利用することもできる。また、放射線Ｘを静電潜像として蓄積した後、読取光を照射することで電荷情報として読み出す光読出方式の放射線検出器を利用することもできる。さらに、放射線エネルギを蛍光体に蓄積し、レーザビーム等の励起光を照射することで、蓄積された放射線エネルギに応じて輝尽発光する蓄積性蛍光体パネルを利用することもできる。
【図面の簡単な説明】
【００４９】
【図１】本実施形態に係る放射線画像処理装置の構成ブロック図である。
【図２】放射線画像処理装置に使用される放射線検出器の回路構成ブロック図である。
【図３】本実施形態に係るサブトラクション画像処理のフローチャートである。
【図４】アフィン変換処理及び歪曲位置合わせ処理が適用される放射線画像情報の説明図である。
【符号の説明】
【００５０】
１０…放射線画像処理装置
１２…被写体
１４…放射線源
１６…放射線源制御部
１８…放射線固体検出器
２２…画像処理部
２４…撮影条件設定部
２６…表示部
２８…画像情報記憶部
３０…アフィン変換処理部
３２…処理領域抽出部
３４…歪曲位置合わせ処理部
３６…画像処理選択部
３８…サブトラクション処理部
【図１】
2010081996.tif 000004
【図２】
2010081996.tif 000005
【図３】
2010081996.tif 000006
【図４】
2010081996.tif 000007